(57)【要約】【課題】無偏光光学系の光ピックアップで使用するゲインの高い受光素子を偏光光学系の光ピックアップにも容易に使用できるようにすること。【解決手段】光ディスク１０からの反射光を光学素子である検出レンズ１５を介して受光素子１３に導く。その場合、検出レンズに光を吸収する光吸収膜２５を付けて、受光素子に入射する光量を減衰させる。【選択図】　　　　図１
2004128065.tif 000002
【特許請求の範囲】
【請求項１】
光学素子を通して受光素子に入射する光量を調整する入射光量調整法であって、光を吸収する光吸収膜を前記光学素子に付けて、前記受光素子に入射する光量を減衰させることを特徴とする入射光量調整法。
【請求項２】
前記光学素子は前記受光素子の光入射面の直前に配した検出レンズであり、前記検出レンズの光入射面及び光出射面のうち少なくとも一方に前記光吸収膜を付ける請求項１に記載の入射光量調整法。
【請求項３】
前記光学素子は前記受光素子の光入射経路に配したビームスプリッタであり、前記ビームスプリッタの前記受光素子側の光出射面に前記光吸収膜を付ける請求項１に記載の入射光量調整法。
【請求項４】
前記受光素子の光入射面に前記光吸収膜を付ける請求項１に記載の入射光量調整法。
【請求項５】
入射する光量を検出する受光素子と、媒体からの反射光を前記受光素子に導く光学素子とを含む光ピックアップにおいて、前記光学素子に光を吸収する光吸収膜を付けて、前記受光素子に入射する光量を減衰させたことを特徴とする光ピックアップ。
【請求項６】
前記光学素子は前記受光素子の光入射面の直前に配した検出レンズであり、前記検出レンズの光入射面及び光出射面のうち少なくとも一方に前記光吸収膜を付けた請求項５に記載の光ピックアップ。
【請求項７】
前記光学素子は前記受光素子の光入射経路に配したビームスプリッタであり、前記ビームスプリッタの前記受光素子側の光出射面に前記光吸収膜を付けた請求項５に記載の光ピックアップ。
【請求項８】
前記受光素子の光入射面に前記光吸収膜を付けた請求項５に記載の光ピックアップ。
【請求項９】
前記媒体に向かう光と前記受光素子に向かう光とに異なる偏光を使用する偏光光学系を有する請求項５−８のいずれかに記載の光ピックアップ。
【発明の詳細な説明】
【０００１】
【発明の属する技術分野】
本発明は、受光素子に入射する光量を調整する入射光量調整法、及びその入射光量調整法を実施した光ピックアップに関する。
【０００２】
【従来の技術】
最近では、パーソナルコンピュータ等の電子機器には光ディスクドライブが搭載されることが多い。光ディスクドライブに使用可能な記録媒体として各種のＣＤ及び各種のＤＶＤが知られている。これらの記録媒体をここでは纏めて光ディスクと呼ぶ。
【０００３】
このような光ディスクにデータを記録したり再生したりするには、光ピックアップが使用される。
【０００４】
光ピックアップには、偏光素子を使用した偏光光学系のものと偏光素子を使用しない無偏光光学系のものとの２種類がある。偏光光学系の光ピックアップにおいては、レーザダイオードから出射した光は、水平に設置した場合はＰ偏光となる。Ｐ偏光の光は、偏光ビームスプリッタを透過し、対物レンズヘと導かれる。その間に、偏光ビームスプリッタを透過し、更に１／４波長板を通ると、円偏光になる。光ディスク等の媒体で反射した光は１／４波長板を通りＳ偏光の光となる。Ｓ偏光の光は偏光ビームスプリッタで反射され、受光素子へと導かれる。このように、偏光ビームスプリッタと１／４波長板を組み合わせる事で、往路及び復路を共に光学的ロスを少なくしている。この場合、媒体からの反射光の９０％以上が受光素子に入射すると考えられる。但し、部品数が増えることから、再生系のみの光ピックアップでは殆ど使われない（例えば、特許文献１参照）。
【０００５】
一方、無偏光光学系の光ピックアップにおいては、レーザダイオードから出射した光は、ハーフミラーで反射し、対物レンズヘと光が導かれる。この際、ハーフミラーの反射率が低いと媒体からの反射光のレベルが低くなってしまうため、書き込み系の光検出装置ではハーフミラーの反射率を一般に８０％以上に設定している。光ディスクで反射した光は、ハーフミラーを透過して受光素子へ導かれる。ハーフミラーの反射率が８０％の場合にはハーフミラーの透過率は２０％以下となる。したがって、無偏光光学系の光ピックアップでは偏光光学系の光ピックアップと比較して復路の光学ロスが大きい（例えば、特許文献２参照）。
【０００６】
【特許文献１】
特開２００１−３４４８０４号公報
【０００７】
【特許文献２】
特開２００１−１００１７４公報
【０００８】
【発明が解決しようとする課題】
無偏光光学系の光ピックアップでは、受光素子に入る光量が少ないため、Ｓ／Ｎ比が悪くなる虞がある。そこで、一般にはゲインを上げて受光時信号を処理している。一方、偏光光学系の光ピックアップでは、ゲインを上げるとかえって飽和してしまい、信号処理が行えない。したがって、無偏光光学系と偏光光学系とに共通の仕様の受光装置を使用するのは難しい。
【０００９】
それ故に本発明の課題は、無偏光光学系の光ピックアップで使用するゲインの高い受光素子を偏光光学系の光ピックアップにも容易に使用できるようにすることにある。
【００１０】
【課題を解決するための手段】
本発明によれば、光学素子を通して受光素子（１３）に入射する光量を調整する入射光量調整法であって、光を吸収する光吸収膜（２５）を前記光学素子に付けて、前記受光素子に入射する光量を減衰させることを特徴とする入射光量調整法が得られる。
【００１１】
前記入射光量調整法において、前記光学素子は前記受光素子の光入射面の直前に配した検出レンズ（１５）であり、前記検出レンズの光入射面（１５ａ）及び光出射面（１５ｂ）のうち少なくとも一方に前記光吸収膜を付けてもよい。
【００１２】
前記入射光量調整法において、前記光学素子は前記受光素子の光入射経路に配したビームスプリッタ（１６）であり、前記ビームスプリッタの前記受光素子側の光出射面（１６ａ）に前記光吸収膜を付けてもよい。
【００１３】
前記入射光量調整法において、前記受光素子の光入射面に前記光吸収膜を付けてもよい。
【００１４】
本発明によれば、入射する光量を検出する受光素子（１３）と、媒体からの反射光を前記受光素子に導く光学素子とを含む光検出装置において、前記光学素子に光を吸収する光吸収膜（２５）を付けて、前記受光素子に入射する光量を減衰させたことを特徴とする光ピックアップが得られる。
【００１５】
前記光ピックアップにおいて、前記光学素子は前記受光素子の光入射面の直前に配した検出レンズ（１５）であり、前記検出レンズの光入射面（１５ａ）及び光出射面（１５ｂ）のうち少なくとも一方に前記光吸収膜を付けてもよい。
【００１６】
前記ピックアップにおいて、前記光学素子は前記受光素子の光入射経路に配したビームスプリッタ（１６）であり、前記ビームスプリッタの前記受光素子側の光出射面（１６ａ）に前記光吸収膜を付けてもよい。
【００１７】
前記光ピックアップにおいて、前記受光素子の光入射面に前記光吸収膜を付けてもよい。
【００１８】
前記光ピックアップにおいて、前記媒体に向かう光と前記受光素子に向かう光とに異なる偏光を使用する偏光光学系を有してもよい。
【００１９】
上記括弧内の符号は、理解を容易にするために付したものであり、一例にすぎず、これらに限定されない。
【００２０】
【発明の実施の形態】
図１を参照して、本発明の実施の形態に係る光ピックアップについて説明する。
【００２１】
図示の光ピックアップは光学記録媒体としての光ディスク１０に情報を記録したりそれに記録されている情報を再生したりするための装置であり、第１のレーザダイオード（発光素子）１１と、第２のレーザダイオード（発光素子）１２と、検出素子としての受光素子（ＰＤＩＣ）１３と、対物レンズ１４とを含んでいる。受光素子１３と対物レンズ１４との間には、ここで光学素子と呼ぶ各部品、すなわち、検出レンズ１５、第１の波長選択ビームスプリッタ１６、第２の波長選択ビームスプリッタ１７、広帯域１／４波長板１８、及びコリメートレンズ１９が直列に介在している。
【００２２】
第１のレーザダイオード１１は、光ディスク１０としてＤＶＤを使用するためのものであり、駆動時には６６０ｎｍの波長をもつ第１のレーザ光（ＤＶＤ用レーザ光）を発生する。第１のレーザ光は第１の１／２波長板付き回折格子２１を介して第１の波長選択ビームスプリッタ１６に入力され、さらに、第２の波長選択ビームスプリッタ１７、広帯域１／４波長板１８、コリメートレンズ１９、及び対物レンズ１４を通って光ディスク１０に入射する。すなわち、第１のレーザ光はＤＶＤ用往路を通って光ディスク１０に至る。
【００２３】
第２のレーザダイオード１２は、光ディスク１０としてＣＤを使用するためのものであり、駆動時には７８５ｎｍの波長をもつ第２のレーザ光（ＣＤ用レーザ光）を発生する。第２のレーザ光は第２の１／２波長板付き回折格子２２及びビーム変換レンズ２３を介して第２の波長選択ビームスプリッタ１７に入力され、さらに、広帯域１／４波長板１８、コリメートレンズ１９、及び対物レンズ１４を通って光ディスク１０に入射する。すなわち、第２のレーザ光はＣＤ用往路を通って光ディスク１０に至る。
【００２４】
第１のレーザ光又は第２のレーザ光が入射した結果として光ディスク１０から反射光が発生する。この反射光は、対物レンズ１４、コリメートレンズ１９、広帯域１／４波長板１８、第２の波長選択ビームスプリッタ１７、第１の波長選択ビームスプリッタ１６、及び検出レンズ１５からなる復路をこの順に通って受光素子１３に入射する。受光素子１３は、入射する光量を電気信号に変換する。なお、２４は全反射ミラーである。
【００２５】
受光素子１３の光入射面１３ａの直前に配した検出レンズ１５は、球面に沿った凹状の光入射面（凹状曲面）１５ａと、円筒面に沿った凹状の光出射面（シリンドリカル状曲面）１５ｂとを有している。上述した復路の光の透過率を低くするため、検出レンズ１５の光入射面１５ａに、光を吸収する薄い光吸収膜２５を光透過率低減手段として付けている。この結果、受光素子１３に入射する光量は減衰されるので、無偏光光学系の光ピックアップで使用するゲインの高い受光素子を偏光光学系の光ピックアップにも容易に使用できるようになる。
【００２６】
上述した光吸収膜２５は、図２に示すように検出レンズ１５の光出射面１５ｂに設けてもよいし、また検出レンズ１５の光入射面１５ａ及び光出射面１５ｂの両方に設けてもよい。
【００２７】
また光吸収膜を第１の波長選択ビームスプリッタ１６の受光素子１３側の光出射面１６ａに付けてもよいし、また受光素子１３のパッケージの表面１３ａに付けてもよい。
【００２８】
さらに、光吸収膜を２箇所以上に備えてもよいが、その場合は、光吸収膜の透過率バラツキを考慮することが望まれる。とにかく、上述した光学素子のうち、復路のみに関係しＤＶＤ用往路やＣＤ用往路には関係しないもの又は部分にのみ光吸収膜を備えることが好ましい。
【００２９】
尚、光吸収膜の透過率は、受光素子１３のゲインに応じて変えるのが望ましい。
【００３０】
【発明の効果】
以上説明したように、本発明によれば、無偏光光学系の光ピックアップで使用するゲインの高い受光素子を偏光光学系の光ピックアップにも容易に使用できるようになる。
【図面の簡単な説明】
【図１】本発明の第１の実施の形態に係る光ピックアップを説明するための概略構成図である。
【図２】本発明の第２の実施の形態に係る光ピックアップにおける検出レンズを示し、（ａ）は正面図、（ｂ）は側面図、（ｃ）は背面図である。
【符号の説明】
１０　光ディスク
１１　第１のレーザダイオード（発光素子）
１２　第２のレーザダイオード（発光素子）
１３　検出素子としての受光素子
１３ａ　受光素子のパッケージの表面
１４　対物レンズ
１５　検出レンズ
１５ａ　光入射面
１５ｂ　光出射面
１６　第１の波長選択ビームスプリッタ
１７　第２の波長選択ビームスプリッタ
１８　広帯域１／４波長板
１９　コリメートレンズ
２１　第１の１／２波長板付き回折格子
２２　第２の１／２波長板付き回折格子
２３　ビーム変換レンズ
２４　全反射ミラー
２５　光吸収膜
【図１】
2004128065.tif 000003
【図２】
2004128065.tif 000004